(57)【要約】【課題】液滴を良好に吐出することができ、且つ吸引動作時にはフィルタ室内の気泡を確実に排出することができる液体噴射ヘッド及び液体噴射装置を提供する。【解決手段】ヘッド本体に一端側が連通する第１の供給路２４を有する第１の部材２１と、第１の供給路２４に一端側が連通すると共に貯留手段に他端側が連通する第２の供給路４８を有する第２の部材２６と、これらの間に設けられて液体の流速の変化に伴って変形可能に保持されたフィルタ２７とを具備し、フィルタ２７がフィルタ室５１内に配設されると共にこのフィルタ室５１が第１のフィルタ室５２と第２のフィルタ室５３とで構成され、且つ第１のフィルタ室５２は、その内径がフィルタ２７側ほど広くなっていると共に第１及び第２の拡開部５４，５５で構成され、この第１の拡開部５４の傾斜角度が、第２の拡開部５５の傾斜角度よりも小さくなるようにする。【選択図】図４
2007216563.tif 000002
【特許請求の範囲】
【請求項１】
液滴を吐出する複数のノズル開口を有するヘッド本体と、該ヘッド本体に一端側が連通する第１の供給路を有する第１の部材と、前記第１の供給路に一端側が連通すると共に液体が貯留される貯留手段に他端側が連通する第２の供給路を有する第２の部材と、前記第１の部材と前記第２の部材との間に設けられて前記液体の流速の変化に伴って変形可能に保持されたフィルタとを具備し、
前記フィルタが前記第１の部材と第２の部材との接続領域に設けられて他の領域よりも内径の広い空間であるフィルタ室内に配設されていると共に、当該フィルタ室が前記第１の部材に設けられる第１のフィルタ室と前記第２の部材に設けられる第２のフィルタ室とで構成され、
且つ前記第１のフィルタ室は、その内径が前記フィルタ側ほど広くなっていると共に前記第１の部材と前記第２の部材との接合面に対する傾斜角度が異なる第１及び第２の拡開部で構成され、前記フィルタ側に位置する前記第１の拡開部の前記傾斜角度が、前記第２の拡開部の傾斜角度よりも小さくなっていることを特徴とする液体噴射ヘッド。
【請求項２】
前記フィルタが、前記液体の流速の増加によって前記第１の拡開部側に変形し且つその後の流速の低下に伴って元の状態に回復するよう設けられていることを特徴とする請求項１に記載の液体噴射ヘッド。
【請求項３】
前記フィルタが、前記第２のフィルタ室側が凸となる球面状に形成されていることを特徴とする請求項１〜３の何れかに記載の液体噴射ヘッド。
【請求項４】
前記フィルタは、その周縁部が弾性材料からなる支持部材によって支持され、該支持部材が前記第１の部材と第２の部材との間に保持されていることを特徴とする請求項１〜３の何れかに記載の液体噴射ヘッド。
【請求項５】
前記第２の拡開部の前記第１の拡開部側の開口面積が、前記フィルタの面積の１／３以下であることを特徴とする請求項１〜４の何れかに記載の液体噴射ヘッド。
【請求項６】
請求項１〜５の何れかに記載の液体噴射ヘッドを具備することを特徴とする液体噴射装置。
【発明の詳細な説明】
【技術分野】
【０００１】
本発明は、ノズルから液滴を噴射する液体噴射ヘッド及び液体噴射装置に関し、特に、インクカートリッジからインクを供給してノズルからインク滴を吐出するインクジェット式記録ヘッド及びインクジェット式記録装置に関する。
【背景技術】
【０００２】
液体噴射ヘッドの代表例としては、例えば、インクジェット式記録ヘッドが挙げられる。このインクジェット式記録ヘッドでは、一般的に、インクが充填されたインクカートリッジから、このインクカートリッジに挿入されるインク供給針及びインクカートリッジが保持される保持部材の流路を介してヘッド本体にインクが供給され、ヘッド本体に供給されたインクは圧電素子等を駆動させることによりノズルから吐出される。
【０００３】
このようなインクジェット式記録ヘッドでは、インクカートリッジのインク内に存在する気泡、あるいはインクカートリッジを着脱する際にインク内に混入した気泡がヘッド本体に供給されてしまうと、この気泡によるドット抜け等の吐出不良が発生するという問題がある。このような問題を解決するために、インクカートリッジに挿入されるインク供給針と、このインク供給針が固定される基台との間に、インク内の気泡等を除去するためのフィルタを装着するようにしたものがある（例えば、特許文献１参照）。
【０００４】
このようなフィルタを設けることにより、インク吐出時にはフィルタによって気泡がトラップされるため、ヘッド本体（記録ヘッド）に気泡が流れ込むのを防止することができる。また、フィルタにトラップされた気泡は、一般的に、ノズルからインクを吸引する、いわゆる吸引動作（クリーニング動作）によってノズルから排出される。すなわち、ノズルからインクを吸引して通常のインク吐出時のインクの流速よりも速い流速をインクに生じさせることで、気泡はインクと共にフィルタを通過してノズルから排出させている。
【０００５】
しかしながら、吸引動作時に気泡がフィルタを通過するためには、比較的大きな圧力を必要とする。このため、気泡がある程度の大きさ、具体的にはフィルタ全面を覆う程度の大きさとなっていないと、吸引動作を行っても気泡がフィルタを通過せずに残留してしまうという問題がある。
【０００６】
なお、このような問題は、インク滴を吐出するインクジェット式記録ヘッドだけでなく、他の液体噴射ヘッドにおいても同様に存在する。
【０００７】
【特許文献１】特開平１１−１０９０４号公報（第１図等）
【発明の開示】
【発明が解決しようとする課題】
【０００８】
本発明は、このような事情に鑑み、液滴を良好に吐出することができ、且つ吸引動作時にはフィルタ室内の気泡を確実に排出することができる液体噴射ヘッド及び液体噴射装置を提供することを課題とする。
【課題を解決するための手段】
【０００９】
上記課題を解決する本発明の第１の態様は、液滴を吐出する複数のノズル開口を有するヘッド本体と、該ヘッド本体に一端側が連通する第１の供給路を有する第１の部材と、前記第１の供給路に一端側が連通すると共に液体が貯留される貯留手段に他端側が連通する第２の供給路を有する第２の部材と、前記第１の部材と前記第２の部材との間に設けられて前記液体の流速の変化に伴って変形可能に保持されたフィルタとを具備し、前記フィルタが前記第１の部材と第２の部材との接続領域に設けられて他の領域よりも内径の広い空間であるフィルタ室内に配設されていると共に、当該フィルタ室が前記第１の部材に設けられる第１のフィルタ室と前記第２の部材に設けられる第２のフィルタ室とで構成され、
且つ前記第１のフィルタ室は、その内径が前記フィルタ側ほど広くなっていると共に前記第１の部材と前記第２の部材との接合面に対する傾斜角度が異なる第１及び第２の拡開部で構成され、前記フィルタ側に位置する前記第１の拡開部の前記傾斜角度が、前記第２の拡開部の傾斜角度よりも小さくなっていることを特徴とする液体噴射ヘッドにある。
かかる第１の態様では、液滴を良好に吐出することができ、且つ吸引動作時にはフィルタ室内の気泡を確実に排出することができる。具体的に説明すると、液滴を吐出する際にはフィルタ室内の液体の流速が比較的遅いためフィルタは変形することがない。このため、フィルタ室内のインク及び気泡にかかる圧力は比較的小さく、液体のみがフィルタを通過してノズルからインク滴が良好に吐出される。また、吸引動作時等に液体の流速が増加するとフィルタが変形して第１の拡開部に実質的に密着することでフィルタ室内の流路抵抗が増加する。このため、フィルタ室内のインク及び気泡にかかる圧力が増加し、液体と共に気泡がフィルタを通過してノズルから外部に排出される。
【００１０】
本発明の第２の態様は、前記フィルタが、前記液体の流速の増加によって前記第１の拡開部側に変形し且つその後の流速の低下に伴って元の状態に回復するよう設けられていることを特徴とする第１の態様の液体噴射ヘッドにある。
かかる第２の態様では、吸引動作時にのみ気泡がノズルから排出されるため、液滴が常に良好に吐出される。
【００１１】
本発明の第３の態様は、前記フィルタが、前記第２のフィルタ室側が凸となる球面状に形成されていることを特徴とする第１〜３の何れかの態様の液体噴射ヘッドにある。
かかる第３の態様では、液体の流速の増加によってフィルタがより確実に第１の供給路側に変形する。
【００１２】
本発明の第４の態様は、前記フィルタは、その周縁部が弾性材料からなる支持部材によって支持され、該支持部材が前記第１の部材と第２の部材との間に保持されていることを特徴とする第１〜３の何れかの態様の液体噴射ヘッドにある。
かかる第４の態様では、液体の流速の増加によってフィルタがより確実に第１の供給路側に変形する。
【００１３】
本発明の第５の態様は、前記第２の拡開部の前記第１の拡開部側の開口面積が、前記フィルタの面積の１／３以下であることを特徴とする第１〜４の何れかの態様の液体噴射ヘッドにある。
かかる第５の態様では、フィルタが変形して第１の拡開部に実質的に密着することで、第２のフィルタ室内の液体及び気泡がフィルタをより確実に通過する。
【００１４】
本発明の第６の態様は、第１〜５の何れかの態様の液体噴射ヘッドを具備することを特徴とする液体噴射装置にある。
かかる第６の態様では、信頼性、耐久性等の各種特性を向上した液体噴射装置を実現することができる。
【発明を実施するための最良の形態】
【００１５】
以下に本発明を実施形態に基づいて説明する。
（実施形態１）
図１は、本発明の実施形態１に係る液体噴射装置の概略斜視図である。本実施形態の液体噴射装置であるインクジェット式記録装置１０は、図１に示すように、ノズルからインク滴を吐出するインクジェット式記録ヘッド（以下、記録ヘッドと呼ぶ）１１がキャリッジ１２に固定され、この記録ヘッド１１には、ブラック（Ｂ）、シアン（Ｃ）、マゼンダ（Ｍ）、イエロー（Ｙ）等の複数の異なる色のインクが貯留された貯留手段であるインクカートリッジ１３がそれぞれ着脱可能に固定されている。
【００１６】
記録ヘッド１１が搭載されたキャリッジ１２は、装置本体１４に取り付けられたキャリッジ軸１５に軸方向移動自在に設けられている。そして、駆動モータ１６の駆動力が図示しない複数の歯車およびタイミングベルト１７を介してキャリッジ１２に伝達されることで、キャリッジ１２はキャリッジ軸１５に沿って移動される。一方、装置本体１４にはキャリッジ軸１５に沿ってプラテン１８が設けられており、図示しない給紙装置により給紙された紙等の被記録媒体Ｓがプラテン１８上を搬送されるようになっている。
【００１７】
また、キャリッジ１２のホームポジションに対応する位置、すなわち、キャリッジ軸１５の一方の端部近傍には、記録ヘッド１１のインク滴が吐出される面（ノズル開口面）を封止するキャップ部材１９を有するキャッピング装置２０が設けられている。このキャップ部材１９によってノズル開口面を封止することにより、ノズルの開口近傍のインクの乾燥を防止している。また、このキャップ部材１９は、フラッシング動作時のインク受けとしても機能する。さらに、キャップ部材１９には、チューブポンプ等で構成される吸引装置（図示なし）が接続されている。そして、所定のタイミングで、この吸引装置によってキャップ部材１９内を吸引する吸引動作（クリーニング動作）を実行することで、ノズル詰まりや、ドット抜け等の吐出不良の発生を防止している。なお、この吸引動作では、印刷時（インク吐出時）よりもインクの流速を増加させることで、粘度の上昇したインクや、後述するフィルタ部分に溜まった気泡を各ノズルから強制的に排出させている。
【００１８】
ここで、本実施形態に係る記録ヘッドについて説明する。なお、図２は、本実施形態に係る記録ヘッドの分解斜視図であり、図３はその組立断面図である。また、図４はフィルタ室部分の拡大断面図である。
【００１９】
図２及び図３に示すように、記録ヘッド１１を構成するカートリッジケース２１は、上述したインクカートリッジ１３（図１）がそれぞれ装着されるカートリッジ装着部２２を有する。カートリッジケース２１の底面側には、一端が各カートリッジ装着部２２に開口し、他端がノズルを有するヘッド本体２３側に開口する複数のインク供給路（第１の供給路）２４がそれぞれ形成された管状の流路形成部２５が突設されている。カートリッジケース２１の上面側、すなわち、各カートリッジ装着部２２のインク供給路２４の開口部分には、インクカートリッジ１３に挿入されてインクカートリッジ１３内のインクをインク供給路２４に流すための複数のインク供給針２６が、インク内の気泡や異物を除去するためのフィルタ２７を介して固定されている。
【００２０】
カートリッジケース２１の下面側には、さらに複数の圧電素子２９を有する圧電素子ユニット３０を保持すると共に、カートリッジケース２１とは反対側の端面にヘッド本体２３が固定されるヘッドケース３２を有し、これらカートリッジケース２１とヘッドケース３２との間には、シール部材３３及び回路基板３４が挟持されている。
【００２１】
シール部材３３は、流路形成部２５とヘッドケース３２に設けられる複数のインク導入路３５が開口する突出部３６との間に挟持されることにより、インク供給路２４とインク導入路３５との接続部分を密封してこの接続部分からのインクの漏れを防止している。回路基板３４は、圧電素子２９を駆動するための信号を供給するためのものであり、回路基板３４の一端部には、外部配線（図示なし）を接続するためのコネクタ３７が固定されている。また、回路基板３４には、圧電素子２９に接続されたＦＰＣ等の接続配線３８が挿通される挿通孔３９が設けられており、この挿通孔３９を介して回路基板３４と接続配線３８とが接続される。さらに、この挿通孔３９の両側には各インク導入路３５に対応して、各インク導入路３５が開口する突出部３６が係合する貫通孔４２が設けられている。
【００２２】
なお、カートリッジケース２１の一方の側面、すなわち、回路基板３４のコネクタ３７が配置される側の側面には、回路基板３４のコネクタ３７が露出される露出口４３を有し、この露出口４３を介して外部配線（図示なし）がコネクタ３７に接続されるようになっている。
【００２３】
また、回路基板３４及びシール部材３３を介してカートリッジケース２１の下面側に固定されたヘッドケース３２には、複数の圧電素子２９を有する圧電素子ユニット３０（３０Ａ，３０Ｂ）を収容して圧電素子２９を位置決め固定するための収容室４４が並設されている。例えば、本実施形態の記録ヘッド１１は、ブラックインクを吐出するための圧電素子ユニット３０Ａと、カラーインクを吐出するための圧電素子ユニット３０Ｂとを有するため、ヘッドケース３２には、これらの圧電素子ユニット３０Ａ，３０Ｂを収容する２つの収容室４４が並設されている。そして、このヘッドケース３２の下面側には、圧電素子２９の駆動によって、ノズル（図示なし）からインク滴を吐出するヘッド本体２３が固定されている。
【００２４】
なお、本実施形態に係る記録ヘッド１１は、カートリッジケース２１の下面側にシール部材３３、回路基板３４、ヘッドケース３２及びヘッド本体２３の順で積層され、その外側にヘッド本体２３のノズルを露出する窓部４５を有する枠体４６を填め込み、ネジ４７によってカートリッジケース２１に固定することで形成されている。
【００２５】
ここで、第１の部材であるカートリッジケース２１に固定されている第２の部材である各インク供給針２６は、図４（ａ）に示すように、カートリッジケース２１の各インク供給路２４に連通する貫通路（第２の供給路）４８をそれぞれ有し、このインク供給針２６の貫通路４８と、カートリッジケース２１のインク供給路２４とによってインクカートリッジ１３とヘッド本体２３とを繋ぐインク流路が構成されている。また、インク供給針２６の先端部には、例えば、直径が０．２ｍｍ程度である導入孔４９が複数形成されており、これら複数の導入孔４９を介してインクカートリッジ１３から貫通路４８（インク流路）内にインクが供給されるようになっている。なお、インク供給針２６は、カートリッジケース２１側の端部近傍にフランジ部５０を有し、このフランジ部５０のカートリッジケース２１との接合面に設けられる融着突起を溶融させることにより、すなわち超音波融着により、カートリッジケース２１に固着されている。
【００２６】
また、インク供給針２６とカートリッジケース２１との接合領域には、インク流路の他の領域よりも内径の広い空間であるフィルタ室５１が設けられている。具体的には、カートリッジケース２１のインク供給針２６との接合領域、すなわち、インク供給路２４の貫通路４８との接続領域に、他の領域よりも内径の広い空間である第１のフィルタ室５２が設けられている。一方、インク供給針２６にも、貫通路４８のインク供給路２４との接続領域に、他の領域よりも内径の広い空間である第２のフィルタ室５３が設けられている。そして、これらカートリッジケース２１の第１のフィルタ室５２とインク供給針２６の第２のフィルタ室５３とでフィルタ２７が収容されるフィルタ室５１が形成されている。このフィルタ室５１（第１及び第２のフィルタ室５２，５３）は、フィルタ２７の面積を大きくして、印刷時にインクが通過する際の抵抗（圧力）をできるだけ小さくするために、貫通路４８及びインク供給路２４よりも広い内径となるように形成されている。例えば、本実施形態では、フィルタ室５１を構成する第１及び第２のフィルタ室５２，５３は、それぞれフィルタ２７側ほど内径が広くなるように形成されている。
【００２７】
さらに、本発明では、このフィルタ室５１のフィルタ２７よりも下流側、すなわち、カートリッジケース２１に形成される第１のフィルタ室５２が、カートリッジケース２１とインク供給針２６との接合面に対する傾斜角度が異なる第１及び第２の拡開部５４，５５で構成されている。すなわち、フィルタ２７側に位置する第１の拡開部５４が、その内面のカートリッジケース２１とインク供給針２６との接合面に対する傾斜角度θ１が、第２の拡開部５５の傾斜角度θ２よりも小さくなるように形成されている。この第１の拡開部５４の傾斜角度θ１は、後述するようにフィルタ２７の変形量に応じて適宜決定されればよいが、比較的小さいことが好ましい。
【００２８】
このようなフィルタ室５１内に配置されるフィルタ２７は、フィルタ室５１内におけるインク流速の増加に応じて変形可能に設けられている。すなわち、フィルタ２７は、インク流速が比較的遅い印刷時には変形することなく初期形状が維持され、インク流速が大幅に増加する吸引動作時には第１のフィルタ室５２側に変形可能に設けられている。そしてフィルタ２７は、この変形により第１の拡開部５４の内面に実質的に密着する。なお、フィルタ２７は、インク流速の増加に伴う変形により第１の拡開部５４の内面に完全に密着するように設けられているのが好ましいが、フィルタ２７の第１の拡開部５４の内面に対向する領域が実質的に機能しない程度に第１の拡開部５４の内面に近づくように設けられていればよい。また、フィルタ２７は、インク流速の増加に応じて変形した後、インク流速の低下に伴って元の状態に自己回復するように設けられている。
【００２９】
例えば、本実施形態では、フィルタ２７は、厚さの薄い金属板に複数の微小孔が形成されたものであり、例えば、金属材料を成型、プレス加工等することによって形成されている。このフィルタ２７は、厚さが薄いため、上述したようにフィルタ室５１内のインク流速の増加に伴って変形可能であり、またインク流速の低下に伴ってそれ自体の弾性力によって元の状態に自己回復する。特に、本実施形態に係るフィルタ２７は、第２のフィルタ室５３側（上流側）が凸となる球面状に形成されている。このため、フィルタ２７は、インク流速の増加に伴う変形によって第１の拡開部５４の表面に密着しやすく、且つインク流速の低下に伴って元の状態に戻りやすくなっている。さらに、通常は、フィルタ２７と第１の拡開部５４との間隔が広くなるため、印刷時にはインクがスムーズに流れインク滴が良好に吐出される。なお、フィルタ２７の材質、厚さ等は、特に限定されるものではなく、第１の拡開部５４の傾斜角度θ１との関係を考慮して、すなわち、フィルタ２７がインク流速の増加に伴って変形したときに第１の拡開部５４の内面に実質的に密着するように、適宜決定されればよい。
【００３０】
このような構成では、印刷時にはフィルタ室５１内のインクにかかる圧力（流路抵抗）が実質的に増加することがなくインク滴を良好に吐出することができ、且つ吸引動作時には、フィルタ室５１内の流路抵抗（圧力）が大幅に増加して第２のフィルタ室５３内の気泡が確実にフィルタ２７を通過する。
【００３１】
具体的には、まず印刷時にはフィルタ室５１（第２のフィルタ室５３）内のインクの流速は比較的遅いため、図４（ａ）に示すように、フィルタ２７は、それ自体の剛性により初期状態のまま維持される。言い換えれば、フィルタ２７は、印刷時のインク流速では変形しない程度の剛性を有している必要がある。そして、このようにフィルタ２７が初期状態で維持されていれば、フィルタ２７と第１の拡開部５４と内面との間には所定空間が確保されるため、フィルタ２７の全面が流路として機能する。したがって、フィルタ室５１内の流路抵抗が増加することはなく、圧電素子２９を駆動することでヘッド本体２３のノズルからインク滴が良好に吐出される。
【００３２】
これに対し、上述した吸引動作を行い第２のフィルタ室５３内に溜まった気泡を排出させる際には、印刷時と比較してフィルタ室５１内の流速が大幅に増加する。すなわち、フィルタ２７の上流側である第２のフィルタ室５３と下流側である第１のフィルタ室５２とで圧力差が生じる。このため、吸引動作時には、フィルタ２７は、図４（ｂ）に示すように、インク流速の増加に伴って圧力を受けて弾性変形し第１の拡開部５４の内面に実質的に密着する。このようにフィルタ２７が第１の拡開部５４の内面に密着することで、フィルタ２７の面積が実質的に小さくなる。すなわち、フィルタ２７の第２の拡開部５５に対応する領域のみがインク流路として機能することになる。このため、吸引動作時には、第２のフィルタ室５３内のインク及び気泡にかかる圧力は、印刷時と比較して大幅に増加する。これにより、第２のフィルタ室５３内に溜まっている気泡がインクと共に確実にフィルタ２７を通過する。例えば、第２のフィルタ室５３に溜まっている気泡の大きさが比較的小さい場合でも、気泡が吸引動作によって確実にフィルタ２７を通過する。これにより、第２のフィルタ室５３に溜まっている気泡が吸引動作によってヘッド本体２３のノズルから外部に確実に排出される。その後、吸引動作が終了して第２のフィルタ室５３と第１のフィルタ室５２との圧力差が小さくなると、フィルタ２７は、それ自体の弾性力によって元の状態に自己回復する。
【００３３】
なお、第２の拡開部５５の第１の拡開部５４側の開口面積は、フィルタ２７の面積（インク流路内に露出している面積）の１／３以下であることが好ましい。これにより、吸引動作によって第２のフィルタ室５３内のインク及び気泡にかかる圧力を十分に高めることができ、気泡をより確実に外部に排出することができる。
【００３４】
（実施形態２）
図５は、実施形態２に係る記録ヘッドの要部を示す断面図である。本実施形態は、フィルタの保持構造を変更した例である。具体的には、図５に示すように、本実施形態では、インク流速の増加に伴って変形可能な材料、例えば、弾性材料等からなる支持部材５６によってフィルタ２７の周縁部を支持し、この支持部材５６をカートリッジケース２１とインク供給針２６との間に挟持するようにした以外は、実施形態１と同様である。
【００３５】
このような構成によれば、吸引動作時のインク流速の増加に伴って支持部材５６が変形することで、フィルタ２７をより確実に変形させることができる。したがって、上述したようにフィルタ２７の上流（第２のフィルタ室５３内）の気泡を、吸引動作によって外部にさらに確実に排出させることができる。なお、このような構成とする場合、フィルタ２７は、実施形態１と同様に略球面状に形成されていてもよいが、勿論、略平坦に形成されていてもよい。フィルタ２７が略平坦に形成されている場合でも、支持部材５６の変形量が大きいため、フィルタ２７は、第１の拡開部５４の内面に実質的に密着する。
【００３６】
（他の実施形態）
以上、本発明の実施形態に基づいて詳細に説明したが、勿論、本発明は上述した実施形態に限定されるものではない。なお、上述した実施形態においては、第１の供給路（インク供給路）を有する第１の部材としてカートリッジケースを例示し、また第２の供給路（貫通路）を有する第２の部材としてインク供給針を例示したが、これら第１の部材及び第２の部材が、これら例示した部材に限定されるものではないことは言うまでもない。
【００３７】
また、上述した実施形態においては、本発明の液体噴射ヘッドとしてインクジェット式記録ヘッドを例示したが、液体噴射ヘッドの基本的構成は上述したものに限定されるものではない。本発明は、広く液体噴射ヘッドの全般を対象としたものであり、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材料噴射ヘッド、バイオｃｈｉｐ製造に用いられる生体有機物噴射ヘッド等にも適用することができる。
【図面の簡単な説明】
【００３８】
【図１】実施形態１に係る記録装置の概略斜視図である。
【図２】実施形態１に係る記録ヘッドの分解斜視図である。
【図３】実施形態１に係る記録ヘッドの組立断面図である。
【図４】実施形態１に係る記録ヘッドのフィルタ室部分の拡大断面図である。
【図５】実施形態２に係る記録ヘッドのフィルタ室部分の拡大断面図である。
【符号の説明】
【００３９】
１０  インクジェット式記録装置、  １１  記録ヘッド、  ２１  カートリッジケース、  ２４  インク供給路、  ２６  インク供給針、  ２７  フィルタ、  ４８  貫通路、  ４９  導入孔、  ５０  フランジ部、  ５１  フィルタ室、  ５２  第１のフィルタ室、  ５３  第２のフィルタ室、  ５４  第１の拡開部、  ５５  第２の拡開部、  ５６  支持部材
【図１】
2007216563.tif 000003
【図２】
2007216563.tif 000004
【図３】
2007216563.tif 000005
【図４】
2007216563.tif 000006
【図５】
2007216563.tif 000007